【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】
【請求項１】  トナー像を担持する第１の像担持体と、バイアスが供給されることで前記第１の像担持体の上のトナー像を第２の像担持体の上に転写させる転写手段と、前記第１の像担持体から前記第２の像担持体に転写された、画像形成条件を決定するためのトナー像である検知用画像を検出する検出手段と、を有する画像形成装置において、
前記転写手段に供給されているバイアスを検知する転写バイアス検知手段と、前記転写バイアス検知手段の検知した結果に応じて、前記転写手段に供給されるバイアスを制御する転写バイアス制御手段と、を有し、前記転写バイアス制御手段は、前記第１の像担持体から前記第２の像担持体への前記検知用画像の転写のために前記転写手段に供給されるバイアスを、該検知用画像の前記第２の像担持体への転写に先立ち前記転写バイアス検知手段が前記転写手段に供給されているバイアスを検知した結果に応じて制御することを特徴とする画像形成装置。
【請求項２】  トナー像を担持する第１の像担持体と、バイアスが供給されることで前記第１の像担持体の上のトナー像を第２の像担持体の上に転写させる第１の転写手段と、バイアスが供給されることで前記第２の像担持体の上のトナー像を転写材の上に転写させる第２の転写手段と、前記第１の像担持体から前記第２の像担持体に転写された後に前記第２の像担持体から前記転写材に転写された、画像形成条件を決定するためのトナー像である検知用画像を検出する検出手段と、を有する画像形成装置において、
前記第２の転写手段に供給されているバイアスを検知する転写バイアス検知手段と、前記転写バイアス検知手段の検知した結果に応じて、前記第２の転写手段に供給されるバイアスを制御する転写バイアス制御手段と、を有し、前記転写バイアス制御手段は、前記第２の像担持体から前記転写材への前記検知用画像の転写のために前記第２の転写手段に供給されるバイアスを、該検知用画像の前記転写材への転写に先立ち前記転写バイアス検知手段が前記第２の転写手段に供給されているバイアスを検知した結果に応じて制御することを特徴とする画像形成装置。
【請求項３】  トナー像を担持する像担持体と、転写材を担持する転写部材と、バイアスが供給されることで前記像担持体の上のトナー像を前記転写部材に担持された転写材の上に転写させる転写手段と、前記転写手段により前記像担持体の上から前記転写部材の上に転写された、画像形成条件を決定するためのトナー像である検知用画像を検出する検出手段と、を有する画像形成装置において、
前記転写手段に供給されているバイアスを検知する転写バイアス検知手段と、前記転写バイアス検知手段の検知した結果に応じて、前記転写手段に供給されるバイアスを制御する転写バイアス制御手段と、を有し、前記転写バイアス制御手段は、前記像担持体から前記転写部材への前記検知用画像の転写のために前記転写手段に供給されるバイアスを、該検知用画像の前記転写部材への転写に先立ち前記転写バイアス検知手段が前記転写手段に供給されているバイアスを検知した結果に応じて制御することを特徴とする画像形成装置。
【手続補正２】
【補正対象書類名】明細書
【補正対象項目名】００１８
【補正方法】変更
【補正の内容】
【００１８】
特に、本例のようなフルカラー画像の出力を行う画像形成装置では、所望のカラーバランスを得るために、イエロー、マゼンタ、シアン、ブラックのそれぞれについて、より正確な濃度制御が求められている。
【手続補正３】
【補正対象書類名】明細書
【補正対象項目名】００２０
【補正方法】変更
【補正の内容】
【００２０】
この光学濃度センサ９０では、受光素子９２に検知用画像ＩＭからの正反射光が入射しないように、法線Ｌを基準にすると、検知用画像ＩＭへの照射角度をα＝４５゜、検知用画像ＩＭからの反射光の受光角度を０゜として乱反射光のみを測定するようにしている。
【手続補正４】
【補正対象書類名】明細書
【補正対象項目名】００３３
【補正方法】変更
【補正の内容】
【００３３】
【課題を解決するための手段】
上記目的は本発明に係る画像形成装置にて達成される。要約すれば、本発明は、トナー像を担持する第１の像担持体と、バイアスが供給されることで前記第１の像担持体の上のトナー像を第２の像担持体の上に転写させる転写手段と、前記第１の像担持体から前記第２の像担持体に転写された、画像形成条件を決定するためのトナー像である検知用画像を検出する検出手段と、を有する画像形成装置において、前記転写手段に供給されているバイアスを検知する転写バイアス検知手段と、前記転写バイアス検知手段の検知した結果に応じて、前記転写手段に供給されるバイアスを制御する転写バイアス制御手段と、を有し、前記転写バイアス制御手段は、前記第１の像担持体から前記第２の像担持体への前記検知用画像の転写のために前記転写手段に供給されるバイアスを、該検知用画像の前記第２の像担持体への転写に先立ち前記転写バイアス検知手段が前記転写手段に供給されているバイアスを検知した結果に応じて制御することを特徴とする画像形成装置である。
【手続補正５】
【補正対象書類名】明細書
【補正対象項目名】００３４
【補正方法】変更
【補正の内容】
【００３４】
本発明による他の態様によれば、トナー像を担持する第１の像担持体と、バイアスが供給されることで前記第１の像担持体の上のトナー像を第２の像担持体の上に転写させる第１の転写手段と、バイアスが供給されることで前記第２の像担持体の上のトナー像を転写材の上に転写させる第２の転写手段と、前記第１の像担持体から前記第２の像担持体に転写された後に前記第２の像担持体から前記転写材に転写された、画像形成条件を決定するためのトナー像である検知用画像を検出する検出手段と、を有する画像形成装置において、前記第２の転写手段に供給されているバイアスを検知する転写バイアス検知手段と、前記転写バイアス検知手段の検知した結果に応じて、前記第２の転写手段に供給されるバイアスを制御する転写バイアス制御手段と、を有し、前記転写バイアス制御手段は、前記第２の像担持体から前記転写材への前記検知用画像の転写のために前記第２の転写手段に供給されるバイアスを、該検知用画像の前記転写材への転写に先立ち前記転写バイアス検知手段が前記第２の転写手段に供給されているバイアスを検知した結果に応じて制御することを特徴とする画像形成装置が提供される。
【手続補正６】
【補正対象書類名】明細書
【補正対象項目名】００３５
【補正方法】変更
【補正の内容】
【００３５】
また、本発明の他の態様によれば、トナー像を担持する像担持体と、転写材を担持する転写部材と、バイアスが供給されることで前記像担持体の上のトナー像を前記転写部材に担持された転写材の上に転写させる転写手段と、前記転写手段により前記像担持体の上から前記転写部材の上に転写された、画像形成条件を決定するためのトナー像である検知用画像を検出する検出手段と、を有する画像形成装置において、前記転写手段に供給されているバイアスを検知する転写バイアス検知手段と、前記転写バイアス検知手段の検知した結果に応じて、前記転写手段に供給されるバイアスを制御する転写バイアス制御手段と、を有し、前記転写バイアス制御手段は、前記像担持体から前記転写部材への前記検知用画像の転写のために前記転写手段に供給されるバイアスを、該検知用画像の前記転写部材への転写に先立ち前記転写バイアス検知手段が前記転写手段に供給されているバイアスを検知した結果に応じて制御することを特徴とする画像形成装置が提供される。
【手続補正７】
【補正対象書類名】明細書
【補正対象項目名】００５７
【補正方法】変更
【補正の内容】
【００５７】
つぎに、不図示の給紙手段から記録材Ｐが１枚取り出され、２次転写ニップ域に挿通される。このときの２次転写ローラ３にはトナーと逆極性のバイアス（ここでは＋２ｋＶ）が印加され、トナー像は中間転写ベルト１から記録材Ｐに転写される。
【手続補正８】
【補正対象書類名】明細書
【補正対象項目名】００７３
【補正方法】変更
【補正の内容】
【００７３】
上述したように、画像濃度制御に先立って、転写バイアス制御を行うことで、画像濃度のさらなる安定化が達成される。
【手続補正９】
【補正対象書類名】明細書
【補正対象項目名】００９４
【補正方法】変更
【補正の内容】
【００９４】
【発明の効果】
以上の説明から明らかなように、本発明の画像形成装置によれば、転写特性の変動に起因する画像濃度変動を抑制でき、高品質画像を得ることができる。
【手続補正１０】
【補正対象書類名】明細書
【補正対象項目名】００９５
【補正方法】削除
【補正の内容】
【手続補正１１】
【補正対象書類名】明細書
【補正対象項目名】００９６
【補正方法】削除
【補正の内容】
【手続補正１２】
【補正対象書類名】図面
【補正対象項目名】図１
【補正方法】変更
【補正の内容】
【図１】
2001117376.tif 000001
【手続補正１３】
【補正対象書類名】図面
【補正対象項目名】図２
【補正方法】変更
【補正の内容】
【図２】
2001117376.tif 000002
【手続補正１４】
【補正対象書類名】図面
【補正対象項目名】図３
【補正方法】変更
【補正の内容】
【図３】
2001117376.tif 000003
【手続補正１５】
【補正対象書類名】図面
【補正対象項目名】図４
【補正方法】変更
【補正の内容】
【図４】
2001117376.tif 000004